(57)【要約】【課題】引戸クローザーについて、引戸閉じ動作の後半部分を確実且つスムースに行えるようにすることに加え、その調整作業を容易なものとする。【解決手段】引きバネ１４及びエアダンパ１０を有する引戸閉止機構を備えて引戸５０上端側に付設され、戸枠４０から下向きに突設したフック体８０に下側から係合するキャッチ体５ａが係合状態で引戸開動作により引きバネ１４を所定量延伸した時点でフック体８０から外れて本体ボディ２側に固定され、引戸閉動作でフック体８０と再係合して本体ボディ２側から外れエアダンパ１０で緩衝されながら引きバネ１４の弾性収縮力で引戸閉じ動作後半部分の所定範囲を自動的に行う引戸クローザー１であって、引きバネ１４がエアダンパ１０の上側に縦方向に並列して本体ボディ２に収装され本体ボディ２が上面に沿って設けられる。【選択図】図３
2008156851.tif 000002
【特許請求の範囲】
【請求項１】
引きバネ及びエアダンパを有する引戸閉止機構を備えて引戸上端側に付設され、該引戸上端側を水平方向に案内する戸枠の所定位置から下向きに突設したフック体に下側から係合するキャッチ体が前記引戸の長手方向所定範囲で往復摺動可能に突設され、前記キャッチ体を前記引きバネで摺動させて前記引戸を閉方向に付勢するものであって、前記キャッチ体が前記フック体に係合した状態で引戸開動作により前記引きバネを所定量延伸した時点で前記フック体から外れて本体ボディ側に固定され、引戸閉動作により前記フック体と再係合して前記本体ボディ側から外れ、前記エアダンパの作用で緩衝されながら前記引きバネの弾性収縮力で前記引戸閉動作後半部分のうち完全閉止までの所定範囲を自動的に行うものとした引戸クローザーにおいて、前記引戸閉止機構は、前記引きバネが前記エアダンパのシリンダ上側に縦方向に並列して前記本体ボディに収装され、該本体ボディが前記引戸の上面に沿って設けられる、ことを特徴とする引戸クローザー。
【請求項２】
前記本体ボディが上面を前記引戸上端面と面一にして前記引戸内に埋め込まれて設けられる、ことを特徴とする請求項１に記載した引戸クローザー。
【請求項３】
前記引きバネは、固定端位置を前記本体ボディ上面側から操作して前記引きバネの長手方向に沿って変更することによりバネ張力を調整可能とされている、ことを特徴とする請求項１または２に記載した引戸クローザー。
【請求項４】
前記フック体は、突出量を下方から調整可能とされていることを特徴とする、請求項１，２または３に記載した引戸クローザー。
【請求項５】
前記フック体の突出量の調整は、前記戸枠下面側に露出したネジ頭を下方から回動させることにより行われるものとされている、ことを特徴とする請求項４に記載した引戸クローザー。
【請求項６】
前記エアダンパは、前記シリンダの基端側に大径部を有しており前記引戸閉動作最終部分の所定範囲で緩衝抵抗を減じるものとされている、ことを特徴とする請求項１，２，３，４または５に記載した引戸クローザー。
【請求項７】
前記フック体は、前記戸枠下面側に設けた引戸案内溝の溝幅方向両端側に並列して設けられ、２つの前記フック体で１つの前記キャッチ体に係合するものとされている、ことを特徴とする請求項１，２，３，４，５または６に記載した引戸クローザー。
【発明の詳細な説明】
【技術分野】
【０００１】
本発明は、引戸クローザーに関し、殊に、引戸閉止機構が引戸上端側に付設されこれに係合されるフック体が戸枠側に設けられて、引戸閉じ動作のうち少なくとも最終部分をアシストまたは自動化するための引戸クローザーに関する。
【背景技術】
【０００２】
引戸を閉める際、閉める勢いが強すぎると引戸が戸枠に跳ね返り完全に閉まらないことがある。そのため、引戸閉じ動作の後半部分は勢いをつけずにゆっくり閉めるなどして対応するが、これでは余分な時間と力を要することになる。また、引戸が跳ね返って開いた部分を閉じる際には、引戸が再度跳ね返らないように閉じ動作の最終部分を強く押圧するなどの手間を要していた。
【０００３】
このような引戸の跳ね返りの問題に対し、特開平１１−２２９７０５号公報には、引戸側に係合手段を有した引戸閉止機構を設けるとともに戸枠側には被係合手段（フック体）を設けて、引戸を閉じ方向に移動させることで被係合手段に係合した係合手段が、引戸閉止機構に内装した引きバネ等の付勢手段により相対移動されて引戸を自動的に戸枠に当接させるようにした、引戸クローザーが提案されている。
【０００４】
このような構成により、引戸を勢いよく閉じて戸枠にバウンドしても自動で完全に閉じることが可能となる。しかし、この引戸クローザーは、引戸を閉じる力にバネの付勢力が加わることで引戸が戸枠に勢いよく衝突することになるため、大きな衝撃と騒音を伴いやすい点が難点である。
【０００５】
そこで、例えば特開２００６−１６９９０５号公報に記載されているように、引きバネによる引戸閉鎖機構にシリンダとピストンからなるエアダンパを併設して引戸閉じ方向の力を緩衝するようにして、引戸閉じ動作の後半部分を緩徐に完了させるものが用いられている。しかしながら、これら引きバネにエアダンパを併用するものは、引戸閉鎖動作の終了直前部分がバネ圧の最も弱い部分に一致することから、引戸の滑動に少しでも抵抗があるとエアダンパの抵抗が加わることにより閉じ動作がスムースに行われなかったり完全に閉鎖しなかったりする場合がある。
【０００６】
更に、引戸や戸枠の高さ精度が低かったり長期間の使用で構造体に変形が生じたりして引戸上端位置と戸枠の高さが適合しない場合には、被係合手段と係合手段との位置調整が必要になり、また、同時に使用により生じる建て付けのずれや戸車を形成するベアリングの摩耗などにより引戸の走行摩擦が上昇するために引きバネばねの調整が必要であるところ、従来の引戸クローザーではこれらの調整作業に手間を要するものが殆どであり、手間を要しないものでも複雑な調整機構を要してコスト高の要因となっている。
【０００７】
さらに、引きバネにエアダンパを併用したものは、引きバネがエアダンパ内部または下方に配設されていることから、引きバネの張力調整時にバネ端部側に設けたネジを回動させて調整する構成となっており、微量ずつしか調整できないとともにその調整代は極めて小さく、充分な調整を行いにくいという難点がある。
【特許文献１】特開平１１−２２９７０５号公報
【特許文献２】特開２００６−１６９９０５号公報
【発明の開示】
【発明が解決しようとする課題】
【０００８】
本発明は、上記のような問題点を解決しようとするものであり、引戸クローザーについて、引戸閉じ動作の後半部分を確実且つスムースに行えるようにすることに加え、その調整作業を容易なものとすることを課題とする。
【課題を解決するための手段】
【０００９】
そこで、本発明は、引きバネ及びエアダンパを有する引戸閉止機構を備えて引戸上端側に付設され、この引戸上端側を水平方向に案内する戸枠の所定位置から下向きに突設したフック体に下側から係合するキャッチ体が引戸の長手方向所定範囲で往復摺動可能に突設され、これを引きバネで摺動させて引戸を閉方向に付勢するものであって、そのキャッチ体がフック体に係合した状態で引戸開動作により引きバネを所定量延伸した時点でフック体から外れて本体ボディ側に固定され、引戸閉動作によりフック体と再係合して本体ボディ側から外れ、エアダンパの作用で緩衝されながら引きバネの弾性収縮力で引戸閉じ動作後半部分のうち完全閉止までの所定範囲を自動的に行うものとした引戸クローザーにおいて、その引戸閉止機構は、引きバネがエアダンパのシリンダ上側に縦方向に並列して本体ボディに収装され、この本体ボディが引戸の上面に沿って配置されたことを特徴とするものとした。
【００１０】
このように、エアダンパを引きバネに並列して配置することで引戸閉じ動作の後半部分を自動的且つ緩徐に行えるようになるが、この引きバネをエアダンパのシリンダ上側に縦方向に並列して引戸閉止機構の厚さを最小限とし、引戸を取り外すことで各種調整作業を容易に行えるものとなる。特に引戸上端面と面一にして引戸内に埋め込むことにより、引戸閉止機構を戸枠内に深く突出しないものとすると、外観が美麗になるだけでなく、引戸の取り外しも容易なものとなり、引戸を取り外すことで各種調整作業を容易に行えるものとなる。
【００１１】
またこの場合、引きバネが本体ボディの上面寄りになることから、引きバネの固定端位置を本体ボディ上面側から操作して引きバネの長手方向に沿って変更することによりバネ張力を調整可能なものとすれば、引戸上端面の上方からバネ長を直接変更できるようになるため、バネ張力の調整が充分且つ容易に行えるものとなる。
【００１２】
さらに、この引戸クローザーにおいて、戸枠のフック体はその突出量を下方から調整可能とされたものとすれば、引戸を開いた状態でキャッチ体に対するフック体の高さ位置調整が極めて容易に行えるものとなり、さらにまた、このフック体の突出量の調整は、戸枠下面側に露出したネジ頭を下方から回動させることにより行われるものとすれば、簡易な構成により精密な調整が容易に行えるものとなる。
【００１３】
加えて、上述した引戸クローザーにおいて、そのエアダンパはシリンダの基端側に大径部を有しており、引戸閉動作最終部分の所定範囲で緩衝抵抗を減じるものとすれば、バネ張力が最も弱くなる引戸閉動作最終部分が、一層確実且つスムースに行われるものとなる。
【００１４】
そして、上述した引戸クローザーにおいて、そのフック体は戸枠下面側に設けた引戸案内溝の溝幅方向両端側に並列して設けられ、この２つのフック体で１つのキャッチ体に係合するものとすれば、構造体に多少のひずみやズレがあっても係合状態が極めて安定したものとなる。
【発明の効果】
【００１５】
引きバネがエアダンパのシリンダ上側に縦方向に並設され、引戸閉止機構が上面を引戸上端面に面一に埋め込まれて設けられるものとした本発明によると、引戸閉じ動作の後半部分をスムース且つ確実に行えることに加え、その調整作業の容易化を実現できるものである。
【発明を実施するための最良の形態】
【００１６】
以下に、図面を参照しながら本発明を実施するための最良の形態を説明する。
【００１７】
図１の本実施の形態である引戸クローザー１の縦断面図、及びその取り付け状態を示す図２の正面図を参照して、引戸クローザー１は、その厚さ（図中奥行き方向）が付設する引戸５０の厚さよりも薄く、引戸閉止機構を備えた本体ボディ２の上面が引戸上端面に面一になるように引戸５０内に埋め込まれて使用されるものであり、係合手段であるキャッチャー５のキャッチ体５ａが引戸上端面から上方向に突出して設けられ、被係合手段である被係合金具８のフック体８０が戸枠４０の引戸案内部分の所定位置から下方向に突出するように設けられる。
【００１８】
図３の分解斜視図を参照して、引戸クローザー１の本体ボディ２は、例えば所定形状に切断したステンレスなどの鋼板を屈曲して形成し、或いは硬質の合成樹脂により成型されたなる箸箱状のものであり、引戸閉止機構を収装する収装体２ａとその上側開口部に被せて蓋をする蓋体２ｂとからなる。そして、蓋体２ｂ上面の略中央位置から先端（図中右）側に亘ってスリット１２０が開口しており、この開口部分で後述するキャッチャー５のキャッチ体５ａを外側に露出させ、スリット１２０の長手方向に摺動させるようになっている。
【００１９】
フック体８０にキャッチ体５ａが係合した状態でキャッチャー５を摺動させて引戸５０の閉動作を行う引戸閉止機構は、収装体２ａ内で内壁に略密着する厚さを有し収装体２ａの長手方向に摺動する略方形の摺動ブロック１５備えており、この摺動ブロック１５はその基端（図中左）側面から突設した繋留リング１５ａとバネ固定部材１３側の繋留ピン１３ｃとの間に架設された引きバネ１４の弾性収縮力により動作するようになっている。
【００２０】
また、この引戸閉止機構は、摺動ブロック１５の基端側面から延設された円柱状のピストンロッド１１ａ及びその先端側で環状のシール部材１１ｃを設けたピストンヘッド１１ｂからなるピストン１１と、基端側を栓体１２ｂで閉鎖されこのピストン１１を挿入するシリンダ１２と、からなるエアダンパ１０を備えており、手動及び引きバネ１４による引戸閉動作を緩衝するようになっている。
【００２１】
そして、摺動ブロック１５には上方からキャッチャー５が挿設されるが、このキャッチャー５はキャラメルの一角を斜めに切り欠いたような形状を有しており、摺動ブロック１５の先端側面及び上面から所定幅・所定深さで設けた揺動溝１５ｂ中でピン１５ｄにより貫通・軸支され上部側を摺動方向に沿う面で揺動可能とされており、その上端部に設けられたキャッチ体５ａを蓋体２ｂ上面側に露出して、摺動ブロック１５とともにスリット１２０の長手方向に沿って摺動するようになっている。
【００２２】
このキャッチ体５ａは、キャッチャー５の上端部でその厚さ方向（本体ボディ２の厚さ方向に一致）両側にスリット１２０の幅を超えて突出する係合バー１５１，１５２が並列してなるものであり、係合バー１５１，１５２の間でフック体８０の角柱状先端部を保持して係合するようになっている。
【００２３】
そして、キャッチ体５ａがフック体８０と係合した状態で、引戸開動作で摺動ブロック１５が先端側に向かって摺動することにより、引きバネ１４が延伸されるとともに摺動端側でキャッチャー５が転動してスリット１２０先端側の陥凹部１２１に一方の係合バー１５２が落ち込み、フック体８０から外れるようになっている。
【００２４】
そして、引戸閉動作に入ると、引戸５０上端面から突出したままのもう一方の係合バー１５１に、フック体８０が衝突することによりキャッチャー５が起立して、再度係合するようになっている。尚、ここまでの構成は従来から周知の構成のものとほぼ同様であり、上述した従来の引戸クローザーとほぼ共通した引戸の自動閉止機能・緩衝機能を奏するものであるが、以下に説明する構成部分が本発明における特徴部分となっている。
【００２５】
即ち、エアダンパ１０は、引きバネ１４の下側に縦方向に並列して設けられており、引戸閉止機構の厚さを最小限に抑えたものとなっている。これにより、引戸クローザー１は本体ボディ２の厚さを抑えて引戸５０の上端側内部に埋め込むことを容易にし、従来の引戸クローザーの戸閉止機構が引戸上端面から上方向に突設され、戸枠内部にこれを収納する比較的大きなスペースを要して汎用性に欠けていたのに対し、使用する戸枠を選んだり改造したりする必要性がなく汎用性の高いものとなっており、且つ、引戸の取り外し・装着作業を簡易な手順で実施可能として、各種調整作業の容易化を実現している。
【００２６】
また、引きバネ１４をエアダンパ１０の上側に配置したことで、引きバネ１４のバネ張力調整部を本体ボディ２の上面側に設けることを可能としている。そのため、バネ固定部材１３上面側に開口したスリット１３ａに沿って繋留ピン１３ｃを有する固定板１３ｂを所定位置まで移動させ、スリット１２２を経て蓋体２ｂ外部に頭を露出したネジ１３ｄで所望位置に固定できるものとなっており、容易に引きバネ１４のバネ張力を調整できるものとされ、また、従来よりもその調整代を大きなものとしている。
【００２７】
さらに、シリンダ１２の基端側の栓体１２ｂ先端面から所定範囲においてシリンダ内径を拡大した大径部１２ａを設けてあり、引戸閉動作の最終部分に入った時点で、ピストンヘッド１１ｂのシール部材１１ｃとシリンダ１２内壁との間の密着度が急に低下し、エアダンパ１０の緩衝抵抗が急激に減少するようになっており、引きバネ１４のバネ圧が最も弱い引戸閉動作の最終部分であってもスムースな動作を確保しやすいものとなっている。
【００２８】
次に、図４乃至図５を参照しながら本実施の形態の動作を説明する。
【００２９】
図４（Ａ）に示す引戸５０の完全閉止状態では、摺動ブロック１５は本体ボディ２の中央部に位置した状態であり、このときキャッチャー５のキャッチ体５ａは被係合金具８のフック体８０と係合しており、引きバネ１４はバネ張力が低い状態となっている。
【００３０】
引戸５０を手で引いて引戸開動作を行うと、キャッチャー５はフック体８０に係合している状態であるため、摺動ブロック１５が本体ボディ２内で相対的に先端側に移動させられることになり、引きバネ１４は伸張されてバネ張力によるエネルギーを蓄える。
【００３１】
そして、図４（Ｂ）に示すように、キャッチャー５が本体ボディ２の最先端側に移動すると、その係合バー１５２がフック体８０に押されてキャッチャー５を右回りに転動させて転倒させる。すると、蓋体２ｂのスリット１２０先端側に設けた陥凹部１２１に係合バー１５２が落ち込み、キャッチャー５及び摺動体１５がこの位置で本体ボディ２側に固定されるとともに、フック体８０との係合状態が解除されて引戸５０がフリーとなる。
【００３２】
次に、引戸５０の閉動作に入り、引戸５０側端面が戸枠４０側面に接近すると、今度はキャッチ体５ａの係合バー１５１がフック体８０に衝突し、キャッチャー５を左回りに転動させて起立させ、係合バー１５２が陥凹部２１から外れてキャッチ体５ａがフック体８０に再係合するとともに、摺動体１５は本体ボディ２側との固定状態が解除される。すると、図４（Ｃ）に示すように引きバネ１４の弾性収縮力で摺動体１５は本体ボディ２内で基端側に移動し、引戸５０は相対的にその反対方向に移動して、引戸閉動作の最終部分が自動的に行われる。
【００３３】
このとき、引きバネ１４の作用及び手動による引戸５０の閉方向の勢いは、引きバネ１４に並列して設けられたエアダンパ１０で緩衝されて、引戸５０が戸枠４０に強く衝突することが回避されるものであるが、本実施の形態では図５（Ａ）のシリンダ１２の基端側拡大部分図に示すように、引戸閉動作最終部分においてシリンダヘッド１１ｂが通過するシリンダ１２の内径が拡大された大径部１２ａが設けられている点を特長としている。
【００３４】
即ち、図５（Ｂ）に示すようにシリンダヘッド１１ｂがこの部分に達することで、シール部材１１ｃ外周面とシリンダ１２の大径部１２ａ内周面との間に隙間が生じて緩衝抵抗が大きく減少する。そのため、引きバネ１４のバネ張力が最も弱くなる引戸閉動作の最終部分であってもピストン１１がスムースに移動して、引戸５０が確実且つスムースに閉動作を終了する。
【００３５】
尚、本実施の形態においては、図６（Ａ）に示すように被係合金具８は調整機能を備えており、内装したネジ８ｃを回動させることでスライド板８ｂが上下にスライドするようになっており、このスライド板８ｂ下面からロッド８１が延設されてフック体８０を上下に動作させるようになっている。即ち、図６（Ｂ）に示すように、被係合金具８の本体８ａ下面側に露出したネジ８ｃの頭を下方からドライバなどで回すことで、フック体８０の下方向への突出量を調整することができ、引戸５０側のキャッチ体５ａと戸枠４０側のフック体８ａとの高さ位置調整が容易に行えるものとなっている。
【００３６】
また、被係合金具８は、引戸５０の厚さ方向で切断した図７の縦断面部分図に示すように、戸枠４０に設けた引戸案内溝４１内でその溝幅方向両端側に並列して設けられており、その２つのフック体８ａ，８ａで１つのキャッチ体５ａと係合するようになっている。これにより、引戸５０がその厚さ方向に多少ぶれても係合状態が安定したものとなり、且つ、引戸５０の開閉操作が多少乱暴であっても破損の少ないものとなる。
【００３７】
以上、述べたように、本発明により引戸クローザーについて引戸閉じ動作の後半部分を確実且つスムースに行えるようになった。また、そのバネ張力や係合位置などの調整作業が容易なものとなった。
【００３８】
尚、本実施の形態では、引戸５０として戸枠４０に形成した戸枠案内部分に戸車４１を差し込むものを用いたことにより、引戸５０の上面の走行方向の両端に戸車４１が幅方向中央に突出した構成であることから、開閉時に被係合金具８が衝突するのを防ぐため、一対の被係合金具８，８を戸車４１の走行線上を挟んで配置したことにより、被係合金具８，８が確実にキャッチャー５に係合させることができるが、例えば引戸５０が戸車４１を有していな場合や、引戸５０が戸枠４０に配置されたレールに吊懸される吊下げ型の場合などには引戸５０の上面における中心軸位置には本実施の形態のような戸車４１は存在しないので戸枠４０の中心軸に沿って１つのキャッチャー５を設ければ足り、更に経済的であり、調整も容易である。
【００３９】
更に、本実施の形態では、前記キャッチャー５の底部に底面に適宜の摩擦係数を有する適宜硬質の樹脂ゴムにより形成された薄板状のブレーキ部材１５ｅが取付部材１５ｆを介して装着されている（図３参照）。このブレーキ部材１５ｅは、特に、引戸５０の閉動作の際に、キャッチ体５ａの係合バー１５１がフック体８０に衝突してキャッチャー５を左回りに転動させて起立させて、係合バー１５２が陥凹部２１から外れてキャッチ体５ａがフック体８０に再係合するときに、引戸５０に閉じ方向の通常の閉じ力よりも大きな力が加えられたときに、キャッチャー５が本体ボディ２の底面に押し付けられて急激な閉止による挟み込みなどを防止することができる。
【図面の簡単な説明】
【００４０】
【図１】本発明の実施の形態を示す縦断面図。
【図２】図１の引戸クローザーの取り付け状態を示す正面図。
【図３】図１の引戸クローザーの分解斜視図。
【図４】（Ａ），（Ｂ），（Ｃ）は、図１の引戸クローザーの動作を説明するための縦断面図。
【図５】（Ａ），（Ｂ）は、図１の引戸クローザーの動作を説明するためのシリンダ基端側を拡大した縦断面部分図。
【図６】（Ａ），（Ｂ）は、図１の被係合金具の調整方法を説明するための拡大した断面部分図。
【図７】図２の被係合金具部分を引戸の厚さ方向で切断した拡大した縦断面部分図。
【符号の説明】
【００４１】
１  引戸クローザー、２  本体ボディ、２ａ  収装体、２ｂ  蓋体、５  キャッチャー、５ａ  キャッチ体、８  被係合金具、８ａ  本体、１０  エアダンパ、８ｃ，１３ｄ  ネジ、１１  ピストン、１１ａ  ピストンロッド、１１ｂ  ヒストンヘッド、１１ｃ  シール部材、１２  シリンダ、１２ａ  大径部、１２ｂ  栓体、１３  バネ固定部材、１３ａ，１２０，１２２  スリット、１３ｂ  固定板、１３ｃ  繋留ピン、１４  引きバネ、１５  摺動ブロック、１５ａ  繋留リング、１５ｂ  揺動溝、  １５ｄ  ピン、４０  戸枠、４１  引戸案内溝、５０  引戸、１２１  陥凹部、１５１，１５２  係合バー
【図１】
2008156851.tif 000003
【図２】
2008156851.tif 000004
【図３】
2008156851.tif 000005
【図４】
2008156851.tif 000006
【図５】
2008156851.tif 000007
【図６】
2008156851.tif 000008
【図７】
2008156851.tif 000009